(57)【要約】      （修正有）【課題】目的とする箇所をより高解像度で簡単に指定して拡大画像として確認する。【解決手段】原稿を読み取ることにより画像データを生成するスキャン実行手段２０４と、画像データを表示する画像表示手段２０５と、画像データの特定の領域の指定を受け付ける指定受付手段と、指定受付手段によって受け付けた特定の領域に基づいて、特定の領域を読み取るための解像度を算出する解像度算出手段２０３と、を含む。スキャン実行手段は、特定の領域を解像度算出手段によって算出された解像度で読み取ることにより画像データを生成し、画像表示手段は、特定の領域の画像データを表示する。【選択図】図３
2017085251.tif 000002
【特許請求の範囲】
【請求項１】
原稿を読み取ることにより画像データを生成するスキャン実行手段と、
前記画像データを表示する画像表示手段と、
前記画像データの特定の領域の指定を受け付ける指定受付手段と、
前記指定受付手段によって受け付けた前記特定の領域に基づいて、前記特定の領域を読み取るための解像度を算出する解像度算出手段と、
を含み、
前記スキャン実行手段は、前記特定の領域を前記解像度算出手段によって算出された前記解像度で読み取ることにより画像データを生成し、
前記画像表示手段は、前記特定の領域の画像データを表示することを特徴とする画像処理装置。
【請求項２】
前記原稿のサイズを検出する原稿サイズ検出手段をさらに含み、前記原稿サイズ検出手段により前記原稿のサイズが検出されると、前記スキャン実行手段は、前記原稿を前記画像表示手段の分解能に応じた所定の解像度で読み取ることにより所定の画像データを生成し、前記画像表示手段は、前記所定の画像データを表示することを特徴とする請求項１に記載の画像処理装置。
【請求項３】
前記所定の画像データが表示された画像表示手段をタップする操作が検出されると、前記画像表示手段は、前記特定の領域を示す表示を行うことを特徴とする請求項２に記載の画像処理装置。
【請求項４】
前記特定の領域を示す表示の複数の箇所を同時にタッチする操作が検出されると、前記画像表示手段は、前記特定の領域を拡大縮小して表示することを特徴とする請求項１から３の何れか１項に記載の画像処理装置。
【請求項５】
前記特定の領域を示す表示をドラッグする操作が検出されると、前記画像表示手段は、前記特定の領域を示す表示を移動して表示することを特徴とする請求項１から４の何れか１項に記載の画像処理装置。
【請求項６】
前記特定の領域を示す表示をダブルクリックする操作が検出されると、前記画像表示手段は、前記所定の画像データを表示することを特徴とする請求項２から５のいずれか１項に記載の画像処理装置。
【請求項７】
前記原稿サイズ検出手段によって検出された前記原稿の縦横サイズに応じて、前記スキャン実行手段によって生成された画像データを回転する画像回転手段をさらに含むことを特徴とする請求項２から６の何れか１項に記載の画像処理装置。
【請求項８】
原稿を読み取ることにより画像データを生成するスキャン実行手段と、
前記画像データを表示する画像表示手段と、
前記画像データの特定の領域の指定を受け付ける指定受付手段と、
前記指定受付手段によって受け付けた前記特定の領域に基づいて、前記特定の領域を読み取るための解像度を算出する解像度算出手段と、を含む画像処理装置に実行させるためのプログラムであって、
前記スキャン実行手段が、前記特定の領域を前記解像度算出手段によって算出された前記解像度で読み取ることにより画像データを生成する処理と、
前記画像表示手段が、前記特定の領域の画像データを表示する処理と、
を実行させるためのプログラム。
【請求項９】
原稿を読み取ることにより画像データを生成するスキャン実行手段と、
前記画像データを表示する画像表示手段と、
前記画像データの特定の領域の指定を受け付ける指定受付手段と、
前記指定受付手段によって受け付けた前記特定の領域に基づいて、前記特定の領域を読み取るための解像度を算出する解像度算出手段と、を含む画像処理装置の制御方法であって、
前記スキャン実行手段が、前記特定の領域を前記解像度算出手段によって算出された前記解像度で読み取ることにより画像データを生成する工程と、
前記画像表示手段が、前記特定の領域の画像データを表示する工程と、
を含むことを特徴とする制御方法。
【発明の詳細な説明】
【技術分野】
【０００１】
本発明は、画像処理装置、プログラム、及び画像処理装置の制御方法に関する。
【背景技術】
【０００２】
物体を拡大して観察する光学機器として、凸レンズや光学ズームによる拡大鏡が一般的に知られている。また、コピー機を用いた拡大機能も良く知られている。さらに、コンピュータ上のアプリケーションや電子辞書等の操作パネルにおいて、液晶ディスプレイの一部を拡大表示するズーム機能も良く知られている。また、画像データを読み取るスキャナにおいても、解像度を指定する機能が一般的に知られている。
【０００３】
このように、原稿等を拡大して確認したい場合、凸レンズや光学ズームによる専用の拡大鏡を用いるか、コピー機の拡大機能を用いて複写した印刷物で確認するか、スキャン画像をパーソナルコンピュータ（以下、ＰＣという。）やタブレット上で確認する等の手段を講じる必要がある。
【０００４】
特許文献１には、表示スクリーンが高解像度表示モードに設定されると、表示スクリーンの画面が見難いという課題を解決するため、コンピュータ装置に拡大鏡ソフトウェアを有するアプリケーションソフトウェアをインストールしておき、コンピュータ装置の電子周辺機器である入力装置から当該コンピュータ装置に拡大指令を出力すると、コンピュータ装置のオペレーティングシステムが拡大鏡機能を起動させることにより、表示画面の拡大を実行する方法が開示されている。
【発明の概要】
【発明が解決しようとする課題】
【０００５】
しかしながら、上記従来の方法では、原稿等を拡大して確認したい場合、専用の拡大鏡を用意しなければならないという煩わしさがあった。また、原稿を確認するためにだけコピー機を用いて拡大印刷を行ったり、ＰＣやタブレットを用いたズーム機能を起動させたりする必要があった。さらに、ＭＦＰ（Multifunction Peripheral：多機能周辺装置）それ自体では、原稿等を拡大して確認することができないという問題があった。
【０００６】
また、高解像度でスキャンした画像をオペレーションパネル（操作パネル）上でプレビュー表示する場合、拡大表示したい箇所を特定するために何度も繰り返しプレビュー表示画面をスクロールする必要があり、簡単に目的とする場所を表示することができないという問題があった。すなわち、高解像度画像の任意の場所を簡単に拡大してプレビュー表示することができないという問題があった。
【０００７】
さらに、特許文献１に記載された技術では、他のＰＣやタブレットを使用せずに、ＭＦＰそれ自体で拡大機能を実現することができない。したがって、原稿等を確認する際、拡大表示機能を実現するために他の機器が必要となるため、簡単に拡大表示機能を実現することができないという問題は依然として解消されない。
【０００８】
そこで、本発明は、上記従来技術の問題点に鑑みてなされたものであって、目的とする箇所をより高解像度で簡単に指定して拡大画像として確認することが可能な画像処理装置を提供することを目的とする。
【課題を解決するための手段】
【０００９】
上記課題を解決するため、本発明における画像処理装置は、原稿を読み取ることにより画像データを生成するスキャン実行手段と、前記画像データを表示する画像表示手段と、前記画像データの特定の領域の指定を受け付ける指定受付手段と、前記指定受付手段によって受け付けた前記特定の領域に基づいて、前記特定の領域を読み取るための解像度を算出する解像度算出手段と、を含み、前記スキャン実行手段は、前記特定の領域を前記解像度算出手段によって算出された前記解像度で読み取ることにより画像データを生成し、前記画像表示手段は、前記特定の領域の画像データを表示することを特徴とする。
【発明の効果】
【００１０】
本発明によれば、目的とする箇所をより高解像度で簡単に指定して拡大画像として確認することが可能な画像処理装置を得ることができる。
【図面の簡単な説明】
【００１１】
【図１】本実施形態に係る画像処理装置のハードウェアブロックの一例について説明する図である。
【図２】本実施形態に係る画像処理装置のソフトウェア機能ブロックの一例について説明する図である。
【図３】本実施形態に係る画像処理装置のソフトウェア機能ブロックにおける拡大鏡制御部のソフトウェア機能ブロックの一例について説明する図である。
【図４】本実施形態に係る画像処理装置の操作パネルの一例について説明する図である。
【図５】本実施形態に係る画像処理装置において拡大鏡メニューを選択したときの操作パネルの一例について説明する図である。
【図６】本実施形態に係る画像処理装置において拡大鏡メニューを選択した後に表示画面をタップしたときの操作パネルの一例について説明する図である。
【図７】本実施形態に係る画像処理装置において拡大枠を拡大縮小するときの操作パネルの一例について説明する図である。
【図８】本実施形態に係る画像処理装置において表示画面上の拡大枠をドラッグしたときの操作パネルの一例について説明する図である。
【図９】本実施形態に係る画像処理装置において表示画面上の拡大枠をクリックしたときの操作パネルの一例について説明する図である。
【図１０】本実施形態に係る画像処理装置において拡大鏡メニューを選択後の拡大鏡機能の動作について説明するフローの一例について説明する図である。
【発明を実施するための形態】
【００１２】
次に、本発明を実施するための形態について図面を参照して詳細に説明する。なお、各図中、同一又は相当する部分には同一の符号を付しており、その重複説明は適宜に簡略化乃至省略する。以下、本発明について説明するが、本発明は、以下に説明する実施形態に限定されるものではない。
【００１３】
本発明における画像処理装置は、原稿を読み取ることにより画像データを生成するスキャン実行部と、生成された画像データを表示する画像表示部と、を有している。また、画像データの特定の領域の指定を受け付ける指定受付部と、指定受付部によって受け付けた特定の領域に基づいて、この特定の領域を読み取るための解像度を算出する解像度算出部と、を有している。
【００１４】
そして、スキャン実行部は、特定の領域を解像度算出部によって算出された解像度で読み取ることにより画像データを生成する。さらに、画像表示部は、特定の領域の画像データを表示するのである。この本発明の特徴について、以下の図面を用いて詳細に解説する。
【００１５】
まず、本実施形態に係る画像処理装置のハードウェアブロックの一例について説明する。図１は、本実施形態に係る画像処理装置のハードウェアブロックの一例について説明する図である。
【００１６】
本実施形態に係る画像処理装置１は、記憶装置１１と、ＣＰＵ（Central Processing Unit）１２と、主記憶装置（メモリ）１３と、画像読み取り装置１４と、から構成される。また、画像処理装置１は、操作パネル１５と、画像処理エンジン１６と、通信Ｉ／Ｆ（Interface）１７と、から構成される。
【００１７】
記憶装置１１は、ＨＤＤ（Hard Disk Drive）、ＦｌａｓｈＲＯＭ（Read Only Memory）、ＵＳＢ（Universal Serial Bus）メモリ等、記憶可能なものであればどのようなものであっても良い。記憶装置１１には、ＰＤＬ（Page Description Language）を含む本体制御ソフトウェアが格納されている。画像処理装置１がＭＦＰである場合、記憶装置１１には、コピー機能、ファクシミリ機能、スキャナ機能、プリンタ機能、ユーザ認証機能、課金機能等を制御するソフトウェアが格納されている。
【００１８】
本体制御ソフトウェアは、画像処理エンジンを制御し、記憶媒体を制御し、プリンタ、スキャナ、コピーの各機能を実現し、入出力Ｉ／Ｆを介した通信制御を行い、操作パネル制御を行うものである。ＣＰＵ１２は、画像処理装置１の動作を制御するソフトウェアプログラムを主記憶装置（メモリ）１３から読み出して、主記憶装置（メモリ）１３を作業メモリにして実行するものである。主記憶装置（メモリ）１３は不揮発性メモリであり、各種プログラム、データを格納するものである。
【００１９】
画像読み取り装置１４はスキャナであり、低解像度から高解像度にわたって原稿のスキャンを実行するものである。操作パネル１５は、タッチセンサ搭載の液晶パネルや、いくつかのハードウェアキー等を有し、ユーザオペレーションのための機能を提供するものである。画像処理エンジン１６は、印刷を実行する際のエンジンとして機能するものである。通信Ｉ／Ｆ  １７は、ＵＳＢやネットワーク等、如何なる通信インタフェースであっても良い。
【００２０】
次に、本実施形態に係る画像処理装置のソフトウェア機能ブロックの一例について説明する。図２は、本実施形態に係る画像処理装置のソフトウェア機能ブロックの一例について説明する図である。
【００２１】
ＰＤＬ２１は、受信バッファ部２５（図２）内のジョブデータを解釈し、描画データを生成するものである。拡大鏡制御部２０は、拡大鏡機能を制御するものである。プリンタ制御部２２は、画像処理装置１のプリンタ機能を制御するものである。スキャナ制御部２３は、画像読み取り装置１４（図１）を制御するものである。コピー制御部２４は、画像処理装置１のコピー機能を制御するものである。
【００２２】
受信バッファ部２５は、ＵＳＢ通信部２６、ネットワーク通信部２７が受信したデータを格納し、ＰＤＬ２１にデータを提供するものである。ＵＳＢ通信部２６は、ＵＳＢ  Ｉ／Ｆを制御するものである。ネットワーク通信部２７は、ネットワークＩ／Ｆを制御するものである。
【００２３】
パネル制御部２８は、操作パネル（オペレーションパネル）を制御するものである。メカ制御部２９は、印刷エンジンを制御するものである。サービス層３０は、各ソフトウェアに共通のサービス機能を提供するものである。ＯＳ３１はオペレーションシステムである。
【００２４】
次に、本実施形態に係る画像処理装置のソフトウェア機能ブロックにおける拡大鏡制御部のソフトウェア機能ブロックの一例について説明する。図３は、本実施形態に係る画像処理装置のソフトウェア機能ブロックにおける拡大鏡制御部のソフトウェア機能ブロックの一例について説明する図である。
【００２５】
原稿サイズ検出部２０１は、プレスキャンを実施し、原稿サイズを検出するものである。画像９０度回転部２０２は、ポートレート原稿のときにスキャン画像を９０度回転するものである。なお、ポートレート原稿とは、原稿の短辺を水平に、長辺を垂直にする原稿であり、いわゆる縦向きの原稿を指す。読み取り解像度計算部２０３は、操作パネル１５（図１）に表示する画像データを生成するために、原稿を読み取るスキャナの解像度を計算するものである。
【００２６】
スキャン実行部２０４は、スキャナを制御し、原稿をスキャンすることにより画像データを生成するものである。画像表示部２０５は、スキャンして生成された画像データを操作パネル１５（図１）上に表示するものである。スキャン座標計算部２０６は、表示している画像の座標と、解像度と、拡大枠の座標と大きさと、に基づいて、拡大枠で指定された領域の原稿上の座標を計算するものである。
【００２７】
拡大枠表示部２０７は、操作パネル１５（図１）上に拡大枠を表示するものである。拡大枠リサイズ部２０８は、操作パネル１５上に表示された拡大枠をリサイズして表示するものである。拡大枠移動部２０９は、操作パネル１５上に表示された拡大枠を移動して表示するものである。オペレーションパネル操作検出部２１０は、操作パネル１５上でのタップ、マルチタッチ、ドラッグ、クリック、ダブルクリック、トリプルクリック、キー入力等を検出するものであり、後述する特定の領域の指定を受け付ける指定受付部として機能する。
【００２８】
なお、本実施形態では、操作パネル１５（図１）上に表示された画像データにおいて、指定を受けた特定の領域を拡大枠で囲むことを具体例として説明を行っているが、特定の領域を指定する方法は、拡大枠で囲むことに限定されない。例えば、指定を受けた特定の領域の色彩を変化させたり、指定を受けた特定の領域に模様を付加したりしても良い。要するに、指定を受けた特定の領域であることを明確にする方法であれば、如何なる方法を用いても良いことは勿論である。
【００２９】
次に、本実施形態に係る画像処理装置の操作パネルの一例について説明する。図４は、本実施形態に係る画像処理装置の操作パネルの一例について説明する図である。
【００３０】
操作パネル１５は、タッチセンサのある液晶パネル１５１と、いくつかのハードウェアキーとから構成されている。液晶パネル１５１には、タッチセンサを利用したメニューや画像を表示することができ、メニューの中には拡大鏡ボタン１５２が表示されている。
【００３１】
次に、本実施形態に係る画像処理装置において拡大鏡メニューを選択したときの操作パネルの一例について説明する。図５は、本実施形態に係る画像処理装置において拡大鏡メニューを選択したときの操作パネルの一例について説明する図である。
【００３２】
図４の拡大鏡ボタン１５２をタッチすることで拡大鏡メニューが選択されると、スキャナにセットされた原稿を原稿サイズ検出部２０１（図３）がプレスキャンを実施し、原稿サイズが特定される。次に、スキャン実行部２０４が、読み取り解像度計算部２０３で計算された液晶パネル１５１の画面全体に表示可能であって、液晶パネル１５１の分解能に応じた所定の解像度で原稿全体をスキャンし、液晶パネル１５１の画面に画像データが表示される。そして、プレスキャンを実施した際に、原稿の縦横サイズ（縦ｘインチ、横ｙインチ）が検出される。
【００３３】
プレスキャンを実施した結果、横のサイズと比較して縦のサイズが大である場合は、ポートレート原稿であるので、画像９０度回転部２０２（図３）が、スキャン画像を９０度回転するという前提で縦と横のサイズを入れ替える。そして、液晶パネル１５１の表示可能領域を（ｘｐ、ｙｐ）ドットとした場合、ｘ／ｙ≧ｘｐ／ｙｐであれば、最初の解像度をｘｐ／ｘとする。また、ｘ／ｙ＜ｘｐ／ｙｐであれば、最初の解像度をｙｐ／ｙとする。
【００３４】
このように決定した液晶パネル１５１の分解能に応じた所定の解像度で原稿全体をスキャンし、液晶パネル１５１に画像を表示する。そして、横のサイズと比較して縦のサイズが大である場合は、画像９０度回転部２０２（図３）が、スキャン画像を９０度回転して画像を表示する。
【００３５】
次に、本実施形態に係る画像処理装置において拡大鏡メニューを選択した後に表示画面をタップしたときの操作パネルの一例について説明する。図６は、本実施形態に係る画像処理装置において拡大鏡メニューを選択した後に表示画面をタップしたときの操作パネルの一例について説明する図である。
【００３６】
液晶パネル１５１の画面に表示されている画像データ上で、液晶パネル１５１をタップすると、拡大枠１５３が画像データ上に表示される。拡大枠１５３は、液晶パネル１５１の表示可能領域である（ｘｐ、ｙｐ）と同じ縦横の比率となっている。なお、拡大枠１５３で特定の領域を囲むことに代えて、上記した色彩や模様を付すことにより、特定の領域と他の領域との境界が明確になるようにしても良い。
【００３７】
次に、本実施形態に係る画像処理装置において拡大枠を拡大縮小するときの操作パネルの一例について説明する。図７は、本実施形態に係る画像処理装置において拡大枠を拡大縮小するときの操作パネルの一例について説明する図である。
【００３８】
液晶パネル１５１に表示される拡大枠１５３の左上（α点）と右上（β点）との２箇所をマルチタッチすることにより、双方向矢印で示すように、拡大枠１５３を拡大縮小することが可能となる。ここで、マルチタッチとは、拡大枠の複数の箇所を同時にタッチする操作をいう。なお、拡大枠１５３に代えて、上記した色彩や模様を付すことにより、他の領域と明確に区分けされた特定の領域を示す境界をマルチタッチし、当該特定の領域を拡大縮小するようにしても良い。
【００３９】
次に、本実施形態に係る画像処理装置において表示画面上の拡大枠をドラッグしたときの操作パネルの一例について説明する。図８は、本実施形態に係る画像処理装置において表示画面上の拡大枠をドラッグしたときの操作パネルの一例について説明する図である。図８に示すように、液晶パネル１５１に表示されている拡大枠１５３を、矢印方向にドラッグすることにより、他の場所に移動することができる。なお、拡大枠１５３に代えて、上記した色彩や模様を付すことにより、他の領域と明確に区分けされた特定の領域を示す境界をドラッグし、当該特定の領域を移動するようにしても良い。
【００４０】
次に、本実施形態に係る画像処理装置において表示画面上の拡大枠をクリックしたときの操作パネルの一例について説明する。図９は、本実施形態に係る画像処理装置において表示画面上の拡大枠をクリックしたときの操作パネルの一例について説明する図である。
【００４１】
液晶パネル１５１に表示されている拡大枠１５３をクリックすると、スキャン実行部２０４は、拡大枠１５３で囲まれた位置に該当する原稿をスキャンし、液晶パネル１５１に表示することができる。このときの解像度は、液晶パネル１５１の分解能に応じた所定の解像度と比較してより高い解像度である。
【００４２】
この場合、スキャナ制御部２３（図２）は、原稿全体をスキャンするのではなく、拡大枠１５３で囲まれた位置に該当する座標の原稿だけを、液晶パネル１５１で表示可能な高解像度でスキャンする。したがって、原稿の一部分のみをスキャンすることでスキャン時間の短縮化を図ることができると共に、スキャン画像を格納するためのメモリの節約にも資することになるのである。
【００４３】
現在、液晶パネル１５１に表示されている画像の解像度をｒｄｐｉ（dot per inch）とし、液晶パネル１５１に表示されている拡大枠１５３のサイズを（ａｘ、ａｙ）ドットとする。このとき、拡大枠を１５３クリックしたときの解像度（ｎｅｗ＿ｒ）は、以下の計算式で求められる。
ｎｅｗ＿ｒ＝ｒ＊ｘｐ／ａｘ・・・（１）
ただし、スキャナの最高解像度を超える場合は最高解像度とする。
【００４４】
なお、拡大枠１５３で囲まれた特定の領域に代えて、上記した色彩や模様を付すことにより、他の領域と明確に区分された特定の領域を、上記した、より高い解像度でスキャンし、当該特定の領域の画像データを液晶パネル１５１に表示するようにしても良い。
【００４５】
以上説明したように、図４から図９の操作を繰り返すことにより、原稿の指定する部分を液晶パネル１５１で表示可能な高解像度でスキャンすることにより、簡単に拡大表示することができ、内容を確認することができるのである。
【００４６】
次に、本実施形態に係る画像処理装置において拡大鏡メニューを選択後の拡大鏡機能の動作について説明するフローの一例について説明する。図１０は、本実施形態に係る画像処理装置において拡大鏡メニューを選択後の拡大鏡機能の動作について説明するフローの一例について説明する図である。
【００４７】
画像処理装置１において、図４に示すように、液晶パネル１５１に表示された拡大鏡ボタン１５２をタッチすることで拡大鏡メニューが選択され拡大鏡機能が開始される。ステップＳ１０１の処理において、原稿サイズ検出部２０１（図３）は、原稿のプレスキャンを実施し、原稿サイズを把握する。
【００４８】
ステップＳ１０２の処理において、読み取り解像度計算部２０３は、ステップＳ１０１の処理で把握した原稿サイズを、液晶パネル１５１の画面全体に表示する解像度を計算する。そして、スキャン実行部２０４がスキャンを行い、画像データを液晶パネル１５１に表示する。ステップＳ１０３の処理において、オペレーションパネル操作検出部２１０は、液晶パネル１５１がタップされたか否かを判断する。
【００４９】
ステップＳ１０３の処理において、オペレーションパネル操作検出部２１０が、液晶パネル１５１がタップされた（Ｙｅｓ）と判断すると、ステップＳ１０４の処理へ移行する。そして、拡大枠表示部２０７は、図６に示すように、拡大枠１５３を液晶パネル１５１に表示する。なお、拡大枠１５３で特定の領域を囲むことに代えて、上記した色彩や模様を付すことにより、特定の領域と他の領域との境界が明確になるように液晶パネル１５１に表示するようにしても良い。その後、ステップＳ１０３の処理へ戻る。液晶パネル１５１がタップされない（Ｎｏ）と判断すると、ステップＳ１０５の処理へ移行する。
【００５０】
ステップＳ１０５の処理において、オペレーションパネル操作検出部２１０は、図７に示すように、液晶パネル１５１に表示される拡大枠１５３の左上（α点）と右上（β点）との２箇所がマルチタッチされたか否かを判断する。ステップＳ１０５の処理において、オペレーションパネル操作検出部２１０が、マルチタッチされた（Ｙｅｓ）と判断すると、ステップＳ１０６の処理へ移行する。
【００５１】
そして、拡大枠リサイズ部２０８は、図７に示すように、拡大枠１５３を拡大縮小（リサイズ）して液晶パネル１５１に表示する。なお、拡大枠１５３に代えて、上記した色彩や模様を付すことにより、他の領域と明確に区分けされた特定の領域を示す境界をマルチタッチし、当該特定の領域を拡大縮小して液晶パネル１５１に表示するようにしても良い。その後、ステップＳ１０３の処理へ戻る。マルチタッチされない（Ｎｏ）と判断すると、ステップＳ１０７の処理へ移行する。
【００５２】
ステップＳ１０７の処理において、オペレーションパネル操作検出部２１０は、図８に示すように、液晶パネル１５１に表示される拡大枠１５３がドラッグされたか否かを判断する。ステップＳ１０７の処理において、オペレーションパネル操作検出部２１０が、ドラッグされた（Ｙｅｓ）と判断すると、ステップＳ１０８の処理へ移動する。
【００５３】
そして、拡大枠移動部２０９は、図８に示すように、拡大枠１５３を移動して液晶パネル１５１に表示する。なお、拡大枠１５３に代えて、上記した色彩や模様を付すことにより、他の領域と明確に区分けされた特定の領域を示す境界をドラッグし、当該特定の領域を移動して液晶パネル１５１に表示するようにしても良い。その後、ステップＳ１０３の処理へ戻る。ドラッグされない（Ｎｏ）と判断すると、ステップＳ１０９の処理へ移行する。
【００５４】
ステップＳ１０９の処理において、オペレーションパネル操作検出部２１０は、図９に示すように、液晶パネル１５１に表示される拡大枠１５３がクリックされたか否かを判断する。ステップＳ１０９の処理において、オペレーションパネル操作検出部２１０が、クリックされた（Ｙｅｓ）と判断すると、ステップＳ１１０の処理へ移行する。
【００５５】
そして、スキャン実行部２０４は、拡大枠１５３で囲まれた位置に該当する原稿を、読み取り解像度計算部２０３が計算する液晶パネル１５１で表示可能なより高解像度でスキャンし、拡大画像データを液晶パネル１５１に表示する。なお、拡大枠１５３で囲まれた特定の領域に代えて、上記した色彩や模様を付すことにより、他の領域と明確に区分けされた特定の領域を、上記高解像度でスキャンし、当該特定の領域の拡大画像データを液晶パネル１５１に表示するようにしても良い。その後、ステップＳ１０３の処理へ戻る。クリックされない（Ｎｏ）と判断すると、ステップＳ１１１の処理へ移行する。
【００５６】
ステップＳ１１３の処理において、オペレーションパネル操作検出部２１０は、液晶パネル１５１に表示される拡大枠１５３がダブルクリックされたか否かを判断する。ステップＳ１１３の処理において、オペレーションパネル操作検出部２１０が、ダブルクリックされた（Ｙｅｓ）と判断すると、ステップＳ１１２の処理へ移行する。そして、１つ前の解像度、すなわち、ステップＳ１０２の処理でスキャンされた液晶パネル１５１の画面全体に表示する解像度の画像データを液晶パネル１５１に表示する。その後、ステップＳ１０３の処理へ戻る。ダブルクリックされない（Ｎｏ）と判断されると、ステップＳ１１３の処理へ移行する。
【００５７】
ステップＳ１１３の処理において、オペレーションパネル操作検出部２１０は、液晶パネル１５１に表示される拡大枠１５３がトリプルクリックされたか否かを判断する。ステップＳ１１３の処理において、オペレーションパネル操作検出部２１０が、トリプルクリックされた（Ｙｅｓ）と判断すると、ユーザから終了の指示があったと判断し、拡大鏡機能を終了する。また、トリプルクリックされない（Ｎｏ）と判断すると、ステップＳ１０３の処理へ戻り、ユーザからの操作を待つ。
【００５８】
ステップＳ１０３、ステップＳ１０５、ステップＳ１０７、及びステップＳ１０９の処理を繰り返すことにより、簡単な操作で、原稿上の目的とする箇所を、画像処理装置の液晶パネル１５１で表示可能な高解像度で拡大した状態で確認することができる。なお、図１０のフローは、タッチパネルを前提とした操作例であり、ハードウェアキーを用いた場合であっても同様の操作により実現可能である。
【００５９】
なお、図１０に示した本実施形態に係る画像処理装置において拡大鏡メニューを選択後の拡大鏡機能の動作フローは、コンピュータ上のプログラムに実行させることもできる。すなわち、画像処理装置を構成するＣＰＵ１２が、主記憶装置（メモリ）１３に格納されたプログラムをロードする。そして、プログラムの各処理ステップが順次実行されることによって行われる。
【００６０】
また、上記実施形態では、スキャナを搭載する画像処理装置に適用した例で説明したが、これに限定されるものではない。例えば、プリンタ、ファクシミリ、コピー、複合機等の画像処理装置に対しても適用することができる。また、狭義のインク以外の液体や定着処理液等を用いる画像処理装置にも適用することができる。
【００６１】
以上説明したように、本実施形態における画像処理装置の一例であるＭＦＰは、タッチパネルを採用したオペレーションパネル搭載のＭＦＰの拡大鏡機能に際して、以下の特徴を有する。すなわち、オペレーションパネルの分解能力に合わせた解像度で原稿全体をスキャンしてオペレーションパネル上に表示する。そして、オペレーションパネル上をタップすると、タップした位置を中心に拡大したい領域を枠で表示する。
【００６２】
ドラッグ状態で指を移動させると、それに合わせて枠も移動できる。さらに、目的の場所付近に枠を移動させて、枠をクリックすると、その領域を液晶パネル１５１で表示可能な高解像度でスキャンして、該当箇所の画像データをオペレーションパネル上に表示する。この操作を繰り返すことにより、目的の箇所をより高解像度で簡単に指定して拡大画像として確認することができることが特徴になっている。
【００６３】
これにより、ＰＣやタブレット等といった他の機器との接続を行うことなく、ＭＦＰそれ自体で原稿を拡大して表示し確認することができる。また、ＭＦＰの液晶パネルを操作することにより拡大鏡機能を提供することができるので、原稿を拡大するための拡大鏡等の装置が不要となる。
【００６４】
さらに、液晶パネル上で拡大された原稿を確認することができるので、拡大印刷をする必要がない。また、拡大して確認したい特定の場所を簡単に指定し、かつ液晶パネル上に高解像度で表示することができるので、カメラ等を使ってレンズによるズーム操作が不要となる。
【００６５】
本発明によれば、目的とする箇所をより高解像度で簡単に指定して拡大画像として確認することが可能な画像処理装置、プログラム、及び画像処理装置の制御方法が得られる。
【００６６】
以上、これまで本発明の実施形態について説明してきたが、本発明の実施形態は上述した実施形態に限定されるものではない。すなわち、他の実施形態、追加、変更、削除等、当業者が想到することができる範囲内で変更することができ、何れの態様においても本発明の作用効果を奏する限り、本発明の範囲に含まれるものである。
【符号の説明】
【００６７】
１    画像処理装置
１１    記憶装置（本体制御ソフトウェア）
１２    ＣＰＵ
１３    主記憶装置（メモリ）
１４    画像読み取り装置
１５    操作パネル
１６    画像処理エンジン
１７    通信Ｉ／Ｆ
２０    拡大鏡制御部
２１    ＰＤＬ
２２    プリンタ制御部
２３    スキャナ制御部
２４    コピー制御部
２５    受信バッファ部
２６    ＵＳＢ通信部
２７    ネットワーク通信部
２８    パネル制御部
２９    メカ制御部
３０    サービス層
３１    ＯＳ
１５１    液晶パネル
１５２    拡大鏡ボタン
１５３    拡大枠
２０１    原稿サイズ検出部
２０２    画像９０度回転部
２０３    読み取り解像度計算部
２０４    スキャン実行部
２０５    画像表示部
２０６    スキャン座標計算部
２０７    拡大枠表示部
２０８    拡大枠リサイズ部
２０９    拡大枠移動部
２１０    オペレーションパネル操作検出部
【先行技術文献】
【特許文献】
【００６８】
【特許文献１】特許第５７２６９２７号公報
【図１】
2017085251.tif 000003
【図２】
2017085251.tif 000004
【図３】
2017085251.tif 000005
【図４】
2017085251.tif 000006
【図５】
2017085251.tif 000007
【図６】
2017085251.tif 000008
【図７】
2017085251.tif 000009
【図８】
2017085251.tif 000010
【図９】
2017085251.tif 000011
【図１０】
2017085251.tif 000012